(57)【要約】      （修正有）【課題】ＬＥＤランプがランプソケット２２から緩んで脱落、落下することを防止して良好な電気接触を維持するＬＥＤランプ定位装置を提供する。【解決手段】ＬＥＤランプ定位装置において、定位装置１中央には平坦な基部１１を備え、基部１１片側には折り返し部１１１を延伸し、折り返し部１１１は上方へと斜めに延伸し湾曲した弾性アーム１１２を備え、弾性アーム１１２の宙に浮いた部分は反対側へと湾曲して延伸し、接触圧迫部１１３を設置し照明器具のランプソケットを圧迫する。これによりランプソケットを緊密に係合して定位する。基部１１の反対側には挟持部を延伸し、挟持部１２両側には嵌合部１２１を設置し、挟持部１２内には照明器具のＬＥＤランプを嵌合して定位できる挟持空間１２０を形成する。【選択図】図１
0003182473.tif 000002
【実用新案登録請求の範囲】
【請求項１】
ＬＥＤランプ定位装置において、前記定位装置は、基部、及び前記基部両側にそれぞれ設置する弾性アーム、挟持部を備え、前記基部片側には折り返し部を設置し、前記折り返し部は後へと斜めに延伸し、弾性を備える弾性アームを備え、さらに前記弾性アームの宙に浮いた部分は、反対側へと湾曲して延伸し接触圧迫部を設置し、前記弾性アームから離れた前記基部の反対側には、弾性を備え伸縮変形可能な挟持部を設置し、前記挟持部内には、照明器具のＬＥＤランプを係合して定位可能な挟持空間を形成し、前記挟持部両側には嵌合部を設置し、さらに前記挟持部の基部に近い片側には、接触保持面を備えることを特徴とするＬＥＤランプ定位装置。
【請求項２】
前記定位装置は、一体成型により製造することを特徴とする請求項１に記載のＬＥＤランプ定位装置。
【請求項３】
前記挟持部は、Ｃ形のリングフック状を呈することを特徴とする請求項１に記載のＬＥＤランプ定位装置。
【請求項４】
前記挟持部両側に設置する嵌合部は、内側へと湾曲し、かつフックを備える形状、或いは外側へとそれぞれ斜めに延伸する形状であることを特徴とする請求項１に記載のＬＥＤランプ定位装置。
【請求項５】
前記挟持部両側に設置する嵌合部は、内側へと湾曲し、かつフックを備える嵌合部で、ランプの放熱部上の複数の凹槽中において、確実に係合して保持することを特徴とする請求項４に記載のＬＥＤランプ定位装置。
【請求項６】
前記基部が延伸する接触圧迫部は、照明器具のランプ外側壁において緊密に接触して保持し、堅固に定位することを特徴とする請求項１に記載のＬＥＤランプ定位装置。
【考案の詳細な説明】
【技術分野】
【０００１】
本考案はＬＥＤランプ定位装置に係わり、挟持部内に形成する挟持空間を利用してＬＥＤランプを挟持、定位する。挟持部両側に設置する嵌合部は、ＬＥＤランプと係合、嵌合し、ベース反対側に延伸する弾性アームにより適正な位置へと調整する。さらに接触圧迫部とＬＥＤランプとを緊密に接触させ、安定的な係合、精確な定位状態を維持することができるＬＥＤランプ定位装置に関する。
【背景技術】
【０００２】
照明設備は全世界の生活方式を徹底的に変えたといえる。我々の生活にもし照明設備が無ければ、夜間だけでなく、天候が悪い時など、ほとんどの作業を停止せざるを得ない。さらに、もし照明設備が無ければ、家の建築や生活の様式も全く異なったものになり、人類全体の進歩にも影響し、遅れた時代に停留したままであったであろう。
【０００３】
現代社会の発展スピードは速く、人類の生活はハイテクノロジー時代に突入していると同時に、環境保護、省エネへの意識も台頭している。伝統的な照明設備内には、水銀、鉛などの環境に危害を及ぼす物質を含み、しかも消費電力が大きく、高温になり、使用寿命が短いなどの問題があった。ＬＥＤ照明は、伝統的な照明設備に比べ、環境に優しく、節電効果が高く、使用寿命が長いなどの長所を備えるため、伝統的な照明設備に代わり、ＬＥＤランプを選択する人が徐々に増えている。
しかし、ＬＥＤランプは、放熱に用いる金属材質の放熱片を備えるため重量が重い。そのため、ランプソケットに設置する時には、自重によりＬＥＤランプとランプソケット間の挿入接続が不確実になり、或いは少しの偏りが生じ、それがもとで電気接触が不良になり、給電を安定的に持続させられない等の問題が発生する。
【０００４】
これらの状況が深刻な場合には、ＬＥＤランプが緩んで落下してしまい、安全上のリスクが高く、製品が破損する危険も大きいなどの欠点が存在する。本考案は、従来のＬＥＤランプの上記した欠点に鑑みてなされたものである。
【考案の概要】
【考案が解決しようとする課題】
【０００５】
本考案が解決しようとする課題は、使用時にＬＥＤランプの自重が原因で、緩んで抜け落下しやすく、ランプソケットとＬＥＤランプ内部配線と電子パーツなどとの接触が不良となり、給電が不安定になるという欠点を改善することができ、ＬＥＤランプを安定的、堅固に定位でき、良好な電気接触を維持可能なＬＥＤランプ定位装置を提供することである。
【課題を解決するための手段】
【０００６】
上記課題を解決するため、本考案は下記のＬＥＤランプ定位装置を提供する。
ＬＥＤランプ定位装置は、定位装置の基部片側にＣ形でリングフック状の挟持部を設置する。該挟持部両側の嵌合部を利用して照明器具のＬＥＤランプと係合して定位し、しかも該挟持部内にはＬＥＤランプを挟持して定位する挟持空間を形成する。さらに、該基部反対側に延伸する接触圧迫部を利用し、ＬＥＤランプ外側壁面と緊密に係合して保持する。これにより、照明器具のＬＥＤランプは安定的にランプソケット上に定位され、ＬＥＤランプの自重でランプソケットから緩んで脱落し、落下することを防止でき、安全性が高く危険の発生を減らすことができる。該定位装置はＬＥＤランプとランプソケットを緊密、堅固に組合わせ、該挟持部と接触圧迫部間の相対挟持力、及びアルミキャップ側縁の挟持部の接触保持面が備える定位機能を利用し、ＬＥＤランプの電極ピンとランプソケットの電気接続口とを正確に対応させて接続でき、良好な通電の効果を達成することができる。
【考案の効果】
【０００７】
本考案のＬＥＤランプ定位装置は、定位装置上の挟持部内に形成する挟持空間を利用して照明器具のＬＥＤランプと挟持、係合する。さらに挟持部両側に設置する嵌合部を利用し、ＬＥＤランプ上を係合、嵌合し、並びに挟持部の接触保持面とアルミキャップの側縁により、緊密に接触、定位して密着接合の状態を形成し、反対側の弾性アームにより位置を調整する。これにより基部とＬＥＤランプとは相対的に平行な位置を呈する時、接触圧迫部を利用してランプソケットと緊密に接触し、挟持部と接触圧迫部との間の相対接触保持、定位力を形成する。こうして確実に定位して緊密に接触して接合し、しかも良好な電気接触を維持でき、かつ給電を安定的に保持することができる。
【図面の簡単な説明】
【０００８】
【図１】本考案の立体外観図である。
【図２】本考案実施例の立体分解図である。
【図３】本考案実施例の側視図である。
【図４】本考案実施例の前視断面図である。
【図５】本考案別種の実施例の前視断面図である。
【考案を実施するための形態】
【０００９】
以下に図面を参照しながら本考案を実施するための最良の形態について詳細に説明する。
【実施例】
【００１０】
図１〜５は本考案の立体外観図、実施例の立体分解図、実施例の側視図、実施例の前視断面図、別種の実施例の前視断面図である。本考案の定位装置１は、基部１１、挟持部１２を備える。
【００１１】
基部１１は外へ片側へと延伸し、折り返し部１１１を設置する。折り返し部１１１から上に向かった後、斜めに延伸し弾性を備える弾性アーム１１２を備える。さらに、弾性アーム１１２の宙に浮いた部分は、反対側へと湾曲して延伸し、接触圧迫部１１３を設置する。
【００１２】
挟持部１２は、弾性アーム１１２から離れ、基部１１の反対側に延伸しＣ形のリングフック状を呈する。しかも弾性を備え伸縮変形可能で、内部は挟持空間１２０である。挟持部１２両側には、それぞれ嵌合部１２１を設置する。さらに、挟持部１２の基部１１に近い片側には接触保持面１２２を備える。
【００１３】
上記構成部材と照明器具２とを組み立てる時には、定位装置１の挟持部１２を利用し、照明器具２のＬＥＤランプ２１に係合し、挟持部１２両側に設置する嵌合部１２１により、ＬＥＤランプ２１上を嵌めて保持し係合する。しかも、挟持部１２の接触保持面１２２は、アルミキャップ２１２の側縁２１２１に緊密に接触し、堅固な接触保持力により定位作用を提供する。さらに、弾性アーム１１２により、基部１１とＬＥＤランプ２１が相対的に平行を呈する位置まで調整する。次に、接触圧迫部１１３とランプソケット２２外側壁面とを、緊密に接触させて固定する。こうして、照明器具２を堅固に定位して良好な係合を保持し、脱落しにくくする等の目的を達成することができる。
【００１４】
定位装置１が、挟持部１２両側に設置する嵌合部１２１は内側へと湾曲し、かつフックを備える形状、或いは外側へと斜めに延伸する形状などの形式が可能である。それは、応用方式の違いにより変化させることができ、本考案実施例の嵌合部１２１は、内側へと湾曲し、かつフックを備える形状で、そのフックがＬＥＤランプ２１の放熱部２１１上にある複数の凹槽２１１０中に嵌合して保持する。こうして、確実な固定、嵌合を実現することができるが、実現方式はこれに限定するものではない。
【００１５】
しかも、定位装置１は、挟持部１２の接触保持面１２２において、アルミキャップ２１２の側縁２１２１に緊密に接触する。また、反対側の接触圧迫部１１３も、ランプソケット２２の外側壁面上に緊密に接触する。これにより、挟持部１２と接触圧迫部１１３との間の相対的な接触保持、挟持力を利用し、ＬＥＤランプ２１の電極ピンとランプソケット２２の電気接続口とを、正確かつ密接に対応させて接続できる。こうして、良好な電気接触、給電の持続的な安定を保持し、ＬＥＤランプ２１とランプソケット２２との間の接触不良による問題の発生を回避することができる。
【００１６】
以上は本考案の実施例に過ぎず、本考案の実用新案登録請求範囲を限定するものではない。本考案ＬＥＤランプ定位装置は、定位装置１上の挟持部１２内に形成する挟持空間１２０を利用し、照明器具２のＬＥＤランプ２１を嵌合、固定する。さらに、挟持部１２両側に延伸する嵌合部１２１を利用してその内側へ向かう挟持力を利用し、ＬＥＤランプ２１上で確実に嵌合、挟持する。並びに、挟持部１２の接触保持面１２２とアルミキャップ２１２の側縁２１２１により、接触保持、固定して定位する。さらに、弾性アーム１１２を利用して調整し、基部１１とＬＥＤランプ２１とを相対的に平行状態とする。次に、接触圧迫部１１３を利用してランプソケット２２の外側壁面において緊密に接触し、挟持部１２と接触圧迫部１１３との間の相対接触保持力により、ＬＥＤランプ２１とランプソケット２２との堅固な定位を達成する。こうして、ＬＥＤランプ２１は、自重により緩んで脱落、落下することはなくなり、製品損壊と安全上の危険を低下させ、しかも良好な電気接触を維持することができる。
【００１７】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。    
【産業上の利用可能性】
【００１８】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００１９】
１      定位装置
１１    基部
１１１  折り返し部
１１２  弾性アーム
１１３  接触圧迫部
１２    挟持部
１２０  挟持空間
１２１  嵌合部
１２２  接触保持面
２      照明器具
２１    ＬＥＤランプ
２１１  放熱部
２１１０  凹槽
２１２  アルミキャップ
２１２１  側縁
２２    ランプソケット
【図１】
0003182473.tif 000003
【図２】
0003182473.tif 000004
【図３】
0003182473.tif 000005
【図４】
0003182473.tif 000006
【図５】
0003182473.tif 000007